(57)【要約】      （修正有）【課題】無線機筐体内での収納長が短いにもかかわらず、ホイップアンテナとしての有効長の長い伸縮式ボトムヘリカルアンテナを提供する。【解決手段】ホイップアンテナ先端のアンテナつまみを導電性とし、非導電性材質のジョイントによりアンテナつまみとホイップ素子を電気的に分離すると共に、導電性の円筒状稼働素子を設ける。伸張時には、稼働素子によりアンテナつまみの下端、ジョイント、及びホイップ素子の上端を覆い、稼働素子の導電性により両者を電気的に結合し全体をアンテナ素子として機能させる。アンテナ収納時には、稼働素子をホイップアンテナの上端に移動させ、アンテナつまみとホイップ素子をジョイントにより電気的に分離し、ホイップ素子には給電されない状態とする。【選択図】  図２−２
2005354564.tif 000002
【特許請求の範囲】
【請求項１】
ホイップ素子と伸長時にホイップ素子の下端に位置するヘリカル素子からなる伸縮式ボトムヘリカルアンテナであって、
導電性の材質を含むアンテナつまみと、
アンテナつまみとホイップ素子を接合する非導電性の接合部と、
伸長時にアンテナつまみとホイップ素子の接合部に位置し、アンテナつまみの下端とホイップ素子の上端を覆う導電性の稼働素子と、
収納時に、ヘリカル素子の中心の給電された直線素子とヘリカル素子の上端が電気的に接続され、ヘリカル素子に給電されることを特徴とする伸縮式ボトムヘリカルアンテナ。
【請求項２】
アンテナ収納時に稼働素子がホイップ素子の上端を覆わない位置に移動することを特徴とする請求項１記載の伸縮式ボトムヘリカルアンテナ。
【発明の詳細な説明】
【技術分野】
【０００１】
本発明は携帯用の無線機などに搭載される伸縮式アンテナに関するものであり、特に、携帯用無線機の筐体に固定されるヘリカルアンテナの固定アンテナ部と、固定アンテナ部を貫通する直線状のホイップ素子とからなる伸縮式ボトムヘリカルアンテナに関するものである。
【背景技術】
【０００２】
携帯電話機等の携帯無線機に備えられているボトムヘリカルタイプとされるアンテナの構成の例が、特開平６−２１６６３０号公報に示される。同タイプのアンテナはヘリカルアンテナである固定アンテナ部と直線状のホイップアンテナとから構成されており、固定アンテナ部が無線機筐体に固着され、回路基板上に設けられているＲＦ回路と固定アンテナ部の給電部とが電気的に接続されるようになっている。ホイップアンテナは固定アンテナ部を貫通して固定アンテナ部に対して上下移動可能とされている。ホイップアンテナは、例えば超弾性金属で制作された導電性のホイップ素子と、ホイップ素子の上端に樹脂等で一体成形された絶縁性のアンテナつまみとから構成されている。また、ホイップ素子の下端には金属製の導電性ストッパーが固着されている。
【０００３】
ホイップアンテナが伸長された状態では、ホイップ素子の下端に固着されている金属製の導電性ストッパーが固定アンテナ部の給電部と電気的に結合されて給電され、ホイップ素子はアンテナとして機能する。固定アンテナ部に対してホイップ素子が縮納された状態では、ホイップ素子の先端に一体成形されている絶縁性のアンテナつまみが固定アンテナ部の貫通穴内に位置し、ホイップ素子は固定アンテナ部の給電部と切り離される。この構成により、固定アンテナ部はホイップ素子の影響を受けることがなく、固定アンテナ部だけが動作する。
【０００４】
従来の伸縮式ボトムヘリカルアンテナの電気動作が図２−１に示されている。ホップアンテナ３は非導電性のアンテナつまみ１１と導電性のホイップ素子１２からなり、無線機の筐体に固定されている固定アンテナ部のヘリカル素子１３を貫通しており、伸長／収納動作により上下に移動する。ヘリカル素子１３は無線機の回路基板に設けられているＲＦ回路等の高周波回路１５と給電用接続部１４で機械的に接続されている。
【０００５】
図２−１（ａ）には、アンテナが無線機の筐体から引き出された伸張時の状態が示されている。伸張時にはホイップアンテナ３の下端に固着されている導電性のストッパーが固定アンテナ部の給電用接続部１４と電気的に結合される。この構成により、ヘリカル素子１３とホイップ素子１２に給電され、ホイップ素子１２はアンテナとして機能する。しかし、ホイップアンテナ３の先端部に設けられた絶縁体のアンテナつまみはアンテナとして機能せず、アンテナの有効長はアンテナ３の全長のうちホイップ素子１２の長さのみとなる。図２−１（ｂ）に、アンテナが無線機の筐体内に収納されている状態が示されている。ヘリカル素子１３の貫通穴の中には絶縁体のアンテナつまみ１１が位置し、導電体のホイップ素子１２は接続部１４から分離され給電されない。この構成により、ヘリカル素子１３が単独で動作し、ホイップ素子１２がヘリカル素子１３に影響を与えることはない。
【０００６】
伸縮式ボトムヘリカルアンテナの従来技術の文献として以下のものが存在する。
【特許文献１】特開平６−２１６６３０号公報
【特許文献２】特開２００４−１５６２３号公報
【特許文献３】特許２７６４３４８号公報
【特許文献４】特許２７６４３４９号公報
【特許文献５】特許３０６２１０３号公報
【発明の開示】
【発明が解決しようとする課題】
【０００７】
無線機の小型化および多機能化に伴い、無線機の筐体内で伸縮式アンテナを収納し得る長さも短くなって来ている。そのため、伸縮式アンテナのホイップ素子も短くせざるを得ない。しかし、ホイップアンテナの有効長が短くなると、共振周波数が所望の周波数から高い周波数へずれるためＶＳＷＲ劣化が発生する。また、ＶＳＷＲ劣化のために整合損失が発生し、利得の劣化を招くことになる。
【０００８】
上記の問題を解決するため、アンテナとして機能するホイップ素子をホイップアンテナ先端部のアンテナつまみまで長くすることが考えられる。しかし、この構成ではアンテナが収納された時、ヘリカル素子の貫通穴内に導電性のホイップ素子が存在することになる。このため、給電用接続部１４からヘリカル素子に加えホイップ素子にも給電されることになり、利得効率が下がってしまう。アンテナ収納時の利得効率の低下を防ぐため、アンテナ収納時にホイップ素子へ給電されない構成が必要であり、従来は、ホイップアンテナの先端をヘリカル素子の高さ以上の長さの非導電性物質で構成し、当該部位をアンテナつまみとする構成が取られていた。このように、ホイップアンテナのホイップ素子の長さを長くする必要が有るにもかかわらず、従来の技術では、アンテナ収納時の利得効率の低下を防ぐため、ホイップアンテナの全長をホイップ素子として利用できない欠点があった。
【課題を解決するための手段】
【０００９】
本発明は、無線機筐体内の限られたアンテナ収納長に収納可能なホイップアンテナであって、アンテナ伸長時のアンテナの有効長を従来技術以上に長く確保することを目的にしている。また、課題の解決のため、本発明はホイップアンテナの先端部に設けられるアンテナつまみを導電性の材質とするか、或いはアンテナつまみ内に導電性の物質を含ませ、アンテナつまみとホイップ素子を接合する接合部を非導電性材質のジョイントとし、両者を電気的に分離すると共に、ホイップアンテナが貫通する導電性材質で構成された円筒状の稼働素子を設けている。アンテナの伸張時には、稼働素子によりアンテナつまみの下端、ジョイント、及びホイップ素子の上端を覆い、稼働素子の導電性により、アンテナつまみとホイップ素子を電気的に結合し、アンテナつまみ部を含めたホイップアンテナ全体をアンテナ素子として機能させる。また、アンテナ収納時には、稼働素子をホイップアンテナの上部に移動させ、アンテナつまみとホイップ素子を非導電性のジョイントにより電気的に分離し、ホイップ素子に給電部されない状態とする。
【００１０】
図１に本発明を適用した無線機器と給電の一例が示されている。伸縮式アンテナはヘリカルアンテナである固定アンテナ部７と直線状のホイップアンテナ３とからなっており、固定アンテナ部７はホルダーナット８により無線機の筐体１に固定されている。伸縮式アンテナのホイップアンテナ部３は導電性の材質で構成されているか、導電性の材質を含むアンテナつまみである上部アンテナエレメント４と導電性のホイップ素子を含む下部アンテナエレメント６からなり、両者は非導電性のジョイントにより接合されている。ホイップアンテナが貫通している導電性材質の円筒状稼働素子５がジョイントから上部アンテナエレメント４を上下に移動可能となっている。固定アンテナ部７は無線機筐体内に納められている回路基板２の高周波回路１０及びアンテナ整合回路１１等に、アンテナ接触端子９を介して電気的に接続されている。
【００１１】
図１はアンテナが伸長された状態を示すものであり、稼働素子５は上部アンテナエレメント４の下端部とジョイント及び下部アンテナエレメント６のホイップ素子上端部を覆う状態に位置し、稼働素子５の導電性により上部アンテナエレメント４の導電性材質とホイップ素子は電気的に結合される。アンテナが筐体内に収納されると、稼働素子５は上部アンテナエレメント４に移動し、上部アンテナエレメント４と共に固定アンテナ部７の貫通穴内に留まり、ヘリカルアンテナ素子への給電経路を形成する。また、下部アンテナエレメント６のホイップ素子とアンテナ接触端子９は分離され電気的結合は無くなる。
【００１２】
図２−２に本願発明に係るアンテナの電気動作が示されている。図２−１のアンテナつまみ１１と異なり、図２−２のアンテナつまみ２０は導電性材質により構成されているか、或いは内部に導電性材質を含んでいる。アンテナつまみ２０とホイップ素子１２は非導電性のジョイント４０により物理的に距離を持って接合されている。図２−２（ａ）はホイップアンテナが無線機の筐体から引き出された状態を示すものであり、ホイップアンテナの下端に固着されている導電性のストッパーがヘリカル素子１３へ給電する給電用接続部１４と電気的に結合されている。また、円筒状の稼働素子３０がアンテナつまみ２０の下端部とジョイント４０、及びホイップ素子１２の上端部を覆う位置にあり、その導電性によりアンテナつまみ２０とホイップ素子１２を電気的に結合する。この電気的結合によりアンテナつまみにも給電され、ホイップ素子としての有効長はホイップアンテナのほぼ全長となる。また、ヘリカル素子２には給電されず、ホイップアンテナへ効率よく給電される。
【００１３】
図２−２（ｂ）はアンテナが無線機の筐体内に収納されている状態を示すものである。稼働素子３０はアンテナつまみ２０まで移動し、アンテナつまみ２０と共にヘリカル素子１３の内部に留まり、ホイップ素子１２は非導電性のジョイント４０により給電部１４から電気的に分離される。給電用接続部１４と稼働素子３０及びアンテナつまみ２０の下部は電気的に結合される。また、ヘリカル素子１３の上端を固定している固定金具１６とアンテナつまみ２０の上部も電気的に結合される。これらの結合により、給電用接続部１４から導電性のアンテナつまみ、及び固定金具１６を経由してヘリカル素子の上端に至る経路が形成され、ヘリカル素子１３に給電される。
【発明の効果】
【００１４】
上記構成により、アンテナが伸長された状態では、稼働素子３０はアンテナつまみとホイップ素子の接合部を覆う状態に位置し、稼働素子の導電性によりアンテナつまみ内の導電性材質とホイップ素子が電気的に結合され、アンテナ有効長はホイップアンテナのほぼ全長となる。ヘリカル素子は給電用接続部１４から分離され、ホイップ素子の特性に影響を与えない構成となっている。これとは逆に、ホイップ素子と共にヘリカル素子にも給電する構成とすることにより、両アンテナ素子とヘリカル素子による二共振動作とし、アンテナの帯域を広帯域とすることも可能である。アンテナが収納された状態では、稼働素子３０はアンテナつまみの位置に移動し、アンテナつまみと共にヘリカル素子の貫通穴内部に留まりヘリカル素子への給電経路を形成する。また、ホイップ素子は非導電性の接合部により給電部から電気的に分離され、アンテナの動作に影響を与えることは無い。この構成により、伸長時にホイップアンテナの全長をホイップ素子として利用でき効率の良いアンテナとなる。
【実施例１】
【００１５】
図３−１に、本発明の第１の実施例に係るアンテナの伸長時の形態が示されている。図３−２は第１の実施例に係るアンテナの部品図であり、（ａ）はアンテナアンテエレメント５０の構成を、（ｂ）稼働素子３０の構成を、また（ｃ）は固定アンテナ部６０の構成を示している。図３−２（ａ）に示されるように、アンテナエレメント５０の上部は導電性の材質で構成された上部エレメント２０であり、アンテナつまみとして機能する。アンテナエレメント５０の下部は導電性の材質で構成された下部エレメント５１、下部エレメント５１を被覆する非導電性の被覆チューブ５２、下部エレメント５０下端の導電性ストッパー７０から構成されている。ストッパー７０は伸長時に、後述する固定アンテナ部６０のベース６５内に設置されているベース摺動ばね６６に挟持され、アンテナエレメント５０の抜けを防止すると共に、アンテナエレメント５０へ給電する機能を有している。アンテナエレメント５０の上部エレメント２０と下部エレメント５１は非導電性のジョイント４０より距離を置いて接合されており、両者はジョイント４０の非導電性により電気的に分離されている。ジョイント４０の下端には稼働素子３０が下部エレメント５１へ移動することを阻止する突起状のストッパー４１が設けられている。
【００１６】
図３−２（ｂ）に示されるように、導電性の素材で作られた円筒状の稼働素子３０の内側に、稼働素子３０を貫通する上部エレメント２０及びジョイント４０に対して稼働素子３０を摺動させ、アンテナ伸長時及びアンテナ収納時に稼働素子３０を所定の位置に保持固定するための稼働素子摺動ばね３１が設けられている。稼働素子３０の上部に後述する固定アンテナ部６０のベース６５の上端に設けられている凹部６７と嵌合させるための凸部３２が設けられている。３３には突起３２をリング状とした例と段状の突起とした例が示されている。アンテナを伸長した時、稼働素子３０はジョイント４０下端のストッパー４１により位置決めされ、上部エレメント２０の下端とジョイント４０及び下部エレメント５１の上端を覆う状態となり、稼働素子３０の導電性により両エレメントを電気的に結合する。
【００１７】
図３−２（ｃ）されるように、固定アンテナ部６０のヘリカル素子１３は非導電性の保護用アンテナカバー６１の上端に設けられた固定金具６２に取り付けられる。固定金具６２には摺動ばね６３が設けられており、アンテナ収納時に上部エレメントのアンテナつまみを挟持する。アンテナカバー６１の下端には導電性のベース６５が設置されている。ベース６５には穴があけられており、アンテナエレメント５０のストッパー７０を挟持するためのベース摺動ばね６６が設けられている。また、ヘリカル素子１３の中央穴と共に固定アンテナ部６０の貫通穴を形成している。この貫通穴を通って、アンテナエレメント５０の上部エレメント２０、稼働素子３０、ジョイント４０、及び下部エレメント５１が上下に移動する。
【００１８】
アンテナ収納時に上部エレメント２０のアンテナつまみが押し下げられ、稼働素子３０が固定アンテナ部６０のベース６５に達すると、稼働素子３０はベース摺動ばね６６の挟力により降下を停止する。アンテナエレメント５０は人による押し下げ力により降下し続けるため、稼働素子３０はジョイント４０から上部エレメント２０へと移動し、上部エレメント２０のスペーサー２９の下端に到達する。更に押し下げられると、稼働素子３０はスペーサー２９に押し下げられベース摺動ばね６６内を摺動し、稼働素子３０の凸起３２がベース６５の上端に設けられた凹部６７と嵌合する。この嵌合により稼働素子３０は固定アンテナ部６０の貫通穴内部に固定保持される。アンテナエレメント５０の下部エレメント５１とジョイント４０はベース６５の穴を通り、無線機筐体内のアンテナ収納空間内に納められる。この状態で、下部エレメント５１は給電部から電気的に分離されている。また、稼働素子３０内の摺動ばね３１は上部ナエレメント２０に設けられているアンテナスつまみスペーサー２９の下の導電部を挟み、アンテナエレメント５０を固定保持すると共に、ベース６５と上部エレメント２０（アンテナつまみ）を電気的に結合する。アンテナつまみが完全に押し下げられと、アンテナカバー上端のアンテナカバー用摺動ばね６３は上部エレメント２０（アンテナつまみ）の上端の導電部を挟み、固定金具３２を介して上部エレメント２０（アンテナつまみ）とヘリカル素子１３を電気的に結合する。この結果、収納時には、ベース６５−稼働素子３０−稼働素子摺動ばね３１−上部エレメント２０（アンテナつまみ）−アンテナカバー用摺動ばね６３−固定金具６２−ヘリカル素子１３の給電経路を形成し、ヘリカル素子１３に給電する。ヘリカル素子１３と上部エレメント２０との間には非導電性のアンテナつまみスペーサー２９が位置し、ヘリカル素子１３と上部エレメント２０の接触を防止している。
【００１９】
アンテナ伸長時には、ベース６５内のベース摺動ばね６６がアンテナエレメント５０の下端に設けられたストッパー７０を挟持し固定保持すると共に、ベース６５−ベース摺動ばね６６−ストッパー７０−下部エレメント５１−稼働素子３０−上部エレメント２０（アンテナつまみ）の給電経路を形成し、ホイップアンテナのほぼ全長がホイップ素子の有効長となる。ヘリカル素子１３と下部エレメント５１の間に下部エレメントの非導電性チューブ５２が位置し、ヘリカル素子１３と下部エレメント５１の接触を防止し、ヘリカル素子１３の無給電が確保されている。
【００２０】
図３−３に本実施例に係るアンテナを伸長し収納する際の動作が示されている。
収納時の動作は以下のとおりである。
（ａ）収納ステップ１：アンテナエレメント５０が完全に引き出された状態では、アンテナエレメント５０の下端に設けられているストッパー７０が、ベース６５内のベース摺動ばね６６の挟力により保持固定されている。
（ｂ）収納ステップ２：上部エレメント２０を押し下げることにより、ストッパー７０はベース摺動ばね６６から抜け、アンテナエレメント５０と稼働素子３０の全体が下方に移動する。
（ｃ）収納ステップ３：稼働素子３０が固定アンテナ部６０の貫通穴に入り、ベース摺動ばね６６に到達する。上下エレメントとジョイント４０は押し下げる力によりベース摺動ばね６６を下方に移動し、筐体内のアンテナ収納空間に収納される。稼働素子３０はアンテナスつまみスペーサー２９の下部に当たり、押し下げられ、上端の突起３２がベース６５上部の凹部６６と嵌合する。
（ｄ）収納ステップ４：上部エレメントの上端がアンテナカバー６０に当たるまでアンテナつまみを押し下げ、収納動作が完了する。この状態では、稼働素子３０はアンテナスつまみスペーサー２９の下に位置決めされ、稼働素子摺動ばね３１はアンテナスつまみスペーサー２９下部の導電部を挟持する。これにより、ベース６５と上部エレメント２０（アンテナつまみ）の電気的結合が確保される。上部エレメント２０の先端の導電部がアンテナカバー６０上端に設けられた固定金具６２内のアンテナカバー摺動ばね６３により挟持され、上部エレメント２０とヘリカル素子１３の電気的結合が確保される。この収納位置により、ベース６５−稼働素子３０−稼働素子摺動ばね３１−上部エレメント２０（アンテナつまみ）−アンテナカバー用摺動ばね６５−固定金具６２−ヘリカル素子１３の給電経路が形成され、ヘリカル素子１３に給電される。
【００２１】
伸長時の動作は以下のとおりである。
（ｅ）伸長ステップ１：（ｄ）に示される収納状態から、アンテナつまみを引き上げることにより、上下エレメントとジョイント４０からなるアンテナエレメント５０が上方に移動する。稼働素子３０上端の突起３２がベース６５上部の凹部６７と嵌合しているため、稼働素子３０は移動することはなく、固定アンテナ部６０の貫通穴内に留まっている。
（ｆ）伸長ステップ２：アンテナつまみを更に引き上げると、ジョイント４０の下端に設けられているストッパー４１が稼働素子３０の下端に当たり、稼働素子３０を押し上げる状態になる。この動作により、稼働素子３０上端の突起３２とベース６５上部の凹部６７の嵌合が外れ、稼働素子３０は下部エレメント５１の上端とジョイント４０及び上部エレメント２０の下端を覆う状態に位置決めされ、以後、アンテナエレメント５０と一体で上方に持ち上げられる。
（ｇ）伸長ステップ３：アンテナつまみが更に引き上げられると、下部エレメント５１の下端に設けられているストッパー７０がベース６５内のベース摺動ばね６６の位置に到達し、ベース摺動ばね６６の挟力により保持固定されると共に、ベース６５−ストッパー７０−下部エレメント５１−稼働素子３０−上部エレメント２０（アンテナつまみ）の給電経路を形成し、引き延ばし動作を完了する。
【００２２】
上部エレメントあるいはジョイント４０に稼働素子３０を保持固定する構成を設けることも可能であり、図３−４に、稼働素子３０を保持固定する構成を上部エレメントあるいはジョイント４０に設けた例が示されている。稼働素子３０が上部エレメントの下端あるいは上部エレメントの上端に留まるものであれば、下記（ａ）乃至（ｃ）に示される構成に限られるものではない。下記（ａ）乃至（ｃ）の構成を組み合わせても、或いは（ａ）乃至（ｃ）と他の構成を組み合わせても良い。
（ａ）ジョイント４０及び上部エレメント２０の中央部に摺動ばね２１及び２２を設ける。アンテナ伸長時には、稼働素子３０はジョイント４０に設けられた摺動ばね２１の力により保持固定され、アンテナ収納時には、稼働素子３０は上部エレメント２０の中央部に設けられた摺動ばね２２の力により保持固定される。
（ｂ）稼働素子３０の内側に一対の凹部が、ジョイント４０と上部エレメント２０の下部に凸部２３が、上部エレメント２０の中央部に凸部２４が形成されている。稼働素子３０の凹部は、アンテナ伸長時にはジョイント４０と上部エレメント２０下部の凸部２３と嵌合し、アンテナ収納時には上部エレメント２０下部の凸部と上部エレメント２０の中央部の凸部２４と嵌合し保持固定される構成となっている。凹部と凸部の形成部は逆でも良く、また嵌合する凹部凸部の数は２つに限られるものでもない。
（ｃ）稼働素子３０を着磁性材質とし、ジョイント４０あるいは上部エレメント２０の下部にマグネット２５を、上部エレメント２０の中央部にマグネット２６を設置する。アンテナ伸長時には稼働素子３０はジョイント４０あるいは上部エレメント２０の下部に設置のマグネット２５により保持固定され、アンテナ収納時には上部エレメント２０の上部に設置のマグネット２６により保持固定される。着磁性材質とマグネットの位置は逆でも良く、個数も任意に設定可能である。
【実施例２】
【００２３】
図４は第２の実施例に係るアンテナの断面を示す図であり、（ａ）は伸長時の状態を、（ｂ）は収納時の状態を示している。当実施例に係るアンテナは図３−１乃至図３−４に示される実施例１のアンテナと同様、アンテナエレメント５０と稼働素子３０及び固定アンテナ部６０からなり、アンテナエレメント５０はジョイント４０、下部エレメント５１、下部エレメント被覆チューブ５２、及びストッパー７０を有し、稼働素子３０は稼働素子摺動ばね３１、及び突起３２を有し、固定アンテナ部６０はアンテナカバー６１、アンテナカバー摺動ばね６３、ヘリカル素子１３、ベース６５、及びベース摺動ばね６６等から構成されている。
【００２４】
実施例２に係るアンテナでは、実施例１の上部エレメント２０と異なり、導電性の上部エレメントと非導電性のアンテナつまみを分離し、非導電性のアンテナつまみ２７により導電性の上部エレメント２８を覆う構造としている。上部エレメント２８には収納時にアンテナカバーの上部に設けられているアンテナカバー用摺動ばね６３と接触するブロック２８−１と、ベース６５内に位置する稼働素子３０の稼働素子摺動ばね３１と接触するブロック２８−２が設けられている。これらブロックと各摺動ばねの接触により、ベース６５−稼働素子３０−稼働素子摺動ばね３１−ブロック２８−２−上部エレメント２０−ブロック２８−１−アンテナカバー用摺動ばね６３−固定金具６２−ヘリカル素子１３の給電経路が形成される。ブロックと摺動ばねの間を直接接触させるのではなく、容量結合であっても良い。
非導電性のアンテナつまみ２７と導電性の上部エレメント２８を分離することにより両部の素材の選択の幅が広がる。特に、非導電性の物質は各種存在し、アンテナつまみの素材として、加工の容易さ、色つや等仕上がりの良さを考慮しての選択が可能となる。図３−４等で示される実施例１の変更は実施例２にも適用可能である。
【実施例３】
【００２５】
図５は第３の実施例に係るアンテナの断面を示す図であり、（ａ）は伸長時の状態を、（ｂ）は収納時の状態を示している。図５では符号が省略されているが、図３−１乃至図３−４に示される実施例１のアンテナと同様、アンテナエレメント５０と稼働素子３０及び固定アンテナ部６０からなり、アンテナエレメント５０は上部エレメント２０、ジョイント４０、下部エレメント５１、下部エレメント被覆チューブ５２、及びストッパー７０を有し、稼働素子３０は稼働素子摺動ばね３１、及び突起３２を有し、固定アンテナ部６０はアンテナカバー６１、アンテナカバー摺動ばね６３、ヘリカル素子１３、ベース６５、及びベース摺動ばね６６等から構成されている。
【００２６】
実施例３に係るアンテナでは、稼働素子３０の中央部をヘリカル状の素子としている。稼働素子３０の中央部をヘリカル状の素子３４とすることにより、素子の電気長を延ばすことができ、アンテナ伸長時の全体の電気長を更に長くすることが可能となる。実施例４の構成は実施例１のみならず実施例２に係るアンテナの構成にも適用可能である。
【実施例４】
【００２７】
図６は第４の実施例に係るアンテナの断面を示す図であり、（ａ）は伸長時の状態を、（ｂ）は収納時の状態を示している。図６では符号が一部省略されているが、図３−１乃至図３−４に示される実施例１のアンテナと同様、アンテナエレメント５０と稼働素子３０及び固定アンテナ部６０からなり、アンテナエレメント５０は上部エレメント２０、ジョイント４０、下部エレメント５１、下部エレメント被覆チューブ５２、及びストッパー７０を有し、稼働素子３０は稼働素子摺動ばね３１、及び突起３２を有し、固定アンテナ部６０はアンテナカバー６１、アンテナカバー用摺動ばね６３、ヘリカル素子１３、ベース６５、及びベース摺動ばね６６等から構成されている。
【００２８】
実施例４に係るアンテナでは導電性のストッパー７０はストッパー拡張部７１を有しており、アンテナ伸長時にベース６５のベース摺動ばねがストッパー７０の下端を狭持すると共に、アンテナカバー６１上端のアンテナカバー用摺動ばね６３がストッパー７０の上端を狭持する構成となっている。この構成により、アンテナを伸長させた時、ベース６５からストッパー７０を介して下部エレメント５１、稼働素子３０、上部エレメント２０へ至る給電経路によるホイップ素子全体への給電に加え、ストッパー７０の拡張部７１上端部からアンテナカバー用摺動ばね６３、固定金具６２を介してヘリカル素子１３へ至る給電経路が形成され、ヘリカル素子１３にも給電される。
実施例４に係るアンテナでは、アンテナの伸長時にホイップ素子全体がアンテナの有効長となり効率の良いアンテナ特性が得られるという効果に加え、ヘリカル素子１３にも給電されることにより、両アンテナ素子により二つの共振が発生し広い帯域特性が得られる。
【産業上の利用可能性】
【００２９】
本発明によれば、アンテナ伸長時には、引き出した直線部分のほぼ全体をホイップ素子として利用できるため、アンテナの有効長が長くなり、従来の短いアンテナに比べ、ＶＳＷＲや利得が向上する。また、アンテナ収納時には、ホイップ素子は電気的に切り離されるため、収納されたホイップ素子には電流が流れず、ヘリカル素子に効率よく電力が供給される。更に、ホイップ素子をアース接地する、あるいはホイップ素子にスタブなどのホイップ素子インピーダンスを無限大にする構造を付加する等の構成が必要ではなくなり、筐体の構造が簡単となる。
なお、各実施例では上部エレメント及び下部エレメントは棒状で説明されているが、多段構成とすることによりホイップ素子の実効長を更に長くすることが可能である。
【図面の簡単な説明】
【００３０】
【図１】本発明に係る無線装置とその給電部を示す図
【図２−１】従来のアンテナの電気動作図
【図２−２】本発明に係るアンテナの電気動作図
【図３−１】実施例１に係るアンテナの断面図
【図３−２】実施例１に係るアンテナの部品図
【図３−３】実施例１に係るアンテナの収納及び伸長時の動作図
【図３−４】実施例１に係るアンテナの稼働素子保持固定のため他の構成図
【図４】実施例２に係るアンテナの伸長時と収納時の断面図
【図５】実施例３に係るアンテナの伸長時と収納時の断面図
【図６】実施例４に係るアンテナの伸長時と収納時の断面図
【符号の説明】
【００３１】
１  無線機筐体
２  回路基板
３  ホイップアンテナ
４  アンテナつまみ
５，３０  稼働素子
６  下部アンテナ
７，６０  固定アンテナ部
８  ホルダーナット
９  給電部
１０  高周波回路
２０  上部エレメント
５０  下部エレメント
【図１】
2005354564.tif 000003
【図２−１】
2005354564.tif 000004
【図２−２】
2005354564.tif 000005
【図３−１】
2005354564.tif 000006
【図３−２】
2005354564.tif 000007
【図３−３】
2005354564.tif 000008
【図３−４】
2005354564.tif 000009
【図４】
2005354564.tif 000010
【図５】
2005354564.tif 000011
【図６】
2005354564.tif 000012